(57)【特許請求の範囲】
【請求項１】
第１の通信装置と第２の通信装置との間で通信を行う通信システムであって、
前記第１の通信装置は、
通信信号を送信する第１通信信号送信手段と、
通信信号を受信するために必要な受信電力に関する所要受信電力情報を送信する所要受信電力情報送信手段と、
を含み、
前記第２の通信装置は、
前記第１通信信号送信手段により送信される通信信号を受信する通信信号受信手段と、
前記受信される通信信号の受信電力を示す受信電力情報を取得する受信電力取得手段と、
前記取得される受信電力情報により示される受信電力の変動傾向を示す受信電力変動指標を算出する受信電力変動指標算出手段と、
前記送信された所要受信電力情報を受信する所要受信電力情報受信手段と、
前記所要受信電力情報と、複数の受信電力変動指標のうちのいずれかと、の組合せに対応付けて、送信電力補正値を記憶する記憶手段から、前記受信した所要受信電力情報と、前記受信した受信電力変動指標と、の組合せに対応付けて記憶されている送信電力補正値を取得する送信電力補正値取得手段と、
前記取得した送信電力補正値に基づいて、通信信号を送信する際の送信電力を決定する送信電力決定手段と、
前記第１の通信装置に対して、前記決定した送信電力にて通信信号を送信する通信信号送信手段と、
を含む、
ことを特徴とする通信システム。
【請求項２】
請求項１に記載の通信システムにおいて、
前記送信電力決定手段は、前記取得した受信電力情報にさらに基づいて、通信信号を送信する際の送信電力を決定する、
ことを特徴とする通信システム。
【請求項３】
請求項１又は２に記載の通信システムにおいて、
前記所要受信電力情報と、複数の受信電力変動指標のうちのいずれかと、の組合せに対応付けて、送信電力補正値を記憶する記憶手段、
をさらに含む、
ことを特徴とする通信システム。
【請求項４】
受信側通信装置から送信される通信信号を受信する通信信号受信手段と、
前記受信される通信信号の受信電力を示す受信電力情報を取得する受信電力取得手段と、
前記取得される受信電力情報により示される受信電力の変動傾向を示す受信電力変動指標を算出する受信電力変動指標算出手段と、
受信側通信装置から送信される、通信信号を受信するために必要な受信電力に関する所要受信電力情報を受信する所要受信電力情報受信手段と、
前記所要受信電力情報と、複数の受信電力変動指標のうちのいずれかと、の組合せに対応付けて、送信電力補正値を記憶する記憶手段から、前記受信した所要受信電力情報と、前記受信した受信電力変動指標と、の組合せに対応付けて記憶されている送信電力補正値を取得する送信電力補正値取得手段と、
前記取得した送信電力補正値に基づいて、通信信号を送信する際の送信電力を決定する送信電力決定手段と、
前記受信側通信装置に対して、前記決定した送信電力にて通信信号を送信する通信信号送信手段と、
を含むことを特徴とする通信装置。
【請求項５】
受信側通信装置から送信される通信信号を受信する通信信号受信ステップと、
前記受信される通信信号の受信電力を示す受信電力情報を取得する受信電力取得ステップと、
前記取得される受信電力情報により示される受信電力の変動傾向を示す受信電力変動指標を算出する受信電力変動指標算出ステップと、
受信側通信装置から送信される、通信信号を受信するために必要な受信電力に関する所要受信電力情報を受信する所要受信電力情報受信ステップと、
前記所要受信電力情報と、複数の受信電力変動指標のうちのいずれかと、の組合せに対応付けて、送信電力補正値を記憶する記憶手段から、前記受信した所要受信電力情報と、前記受信した受信電力変動指標と、の組合せに対応付けて記憶されている送信電力補正値を取得する送信電力補正値取得ステップと、
前記取得した送信電力補正値に基づいて、通信信号を送信する際の送信電力を決定する送信電力決定ステップと、
前記受信側通信装置に対して、前記決定した送信電力にて通信信号を送信する通信信号送信ステップと、
を含むことを特徴とする送信電力制御方法。
【請求項６】
受信側通信装置から送信される通信信号を受信する通信信号受信手段、
前記受信される通信信号の受信電力を示す受信電力情報を取得する受信電力取得手段、
前記取得される受信電力情報により示される受信電力の変動傾向を示す受信電力変動指標を算出する受信電力変動指標算出手段、
受信側通信装置から送信される、通信信号を受信するために必要な受信電力に関する所要受信電力情報を受信する所要受信電力情報受信手段、
前記所要受信電力情報と、複数の受信電力変動指標のうちのいずれかと、の組合せに対応付けて、送信電力補正値を記憶する記憶手段から、前記受信した所要受信電力情報と、前記受信した受信電力変動指標と、の組合せに対応付けて記憶されている送信電力補正値を取得する送信電力補正値取得手段、
前記取得した送信電力補正値に基づいて、通信信号を送信する際の送信電力を決定する送信電力決定手段、及び
前記受信側通信装置に対して、前記決定した送信電力にて通信信号を送信する通信信号送信手段、
としてコンピュータを機能させることを特徴とするプログラム。
【発明の詳細な説明】
【技術分野】
【０００１】
本発明は通信システム、通信装置、送信電力制御方法、及びプログラムに関する。
【背景技術】
【０００２】
移動体通信システムにおける従来の送信電力制御のひとつに、開ループ送信電力制御と呼ばれる制御がある。
【０００３】
開ループ送信電力制御では、通信装置（例えば移動局装置）は、該通信装置が送信する通信信号を受信する受信側通信装置（例えば基地局装置）から受信される信号の受信電力に基づいて、自身の送信する信号の送信電力を制御する。具体的には、以下の式（１）のような計算を行って、送信電力を決定している。なお、開ループ送信電力制御パラメータは所定値である。
【０００４】
送信電力＝開ループ送信電力制御パラメータ−受信電力  ・・・（１）
【０００５】
なお、特許文献１には、移動局装置の位置と地図情報とを用いて生成される電波伝搬特性推定情報に基づいて、移動局装置と基地局装置の間の通信（変調方式、送信電力、他）を制御する技術が記載されている。
【特許文献１】特開２００４−１５３３７号公報
【発明の開示】
【発明が解決しようとする課題】
【０００６】
しかしながら、上記開ループ送信電力制御では、式（１）にも示されるように、送信電力を決定するためには受信信号の受信電力が必要となる。このため、送信電力は少し前の受信電力に基づいて決定されることとなり、若干のタイムラグが生ずる。このタイムラグのため、受信電力の変動が大きい場合などは、開ループ送信電力制御による送信電力制御を行ったとしても、不十分な結果しか得られない場合があった。
【０００７】
従って、本発明の課題の一つは、受信電力の変動に対応して送信電力制御を行うことを可能にする通信システム、通信装置、送信電力制御方法、及びプログラムを提供することにある。
【課題を解決するための手段】
【０００８】
上記課題を解決するための本発明に係る通信システムは、第１の通信装置と第２の通信装置との間で通信を行う通信システムであって、前記第１の通信装置は、通信信号を送信する第１通信信号送信手段、をさらに含み、前記第２の通信装置は、前記第１通信信号送信手段により送信される通信信号を受信する通信信号受信手段と、前記受信される通信信号の受信電力を示す受信電力情報を取得する受信電力取得手段と、前記取得される受信電力情報により示される受信電力の変動傾向を示す受信電力変動指標を算出する受信電力変動指標算出手段と、前記算出した受信電力変動指標に基づいて、通信信号を送信する際の送信電力を決定する送信電力決定手段と、前記第１の通信装置に対して、前記決定した送信電力にて通信信号を送信する通信信号送信手段と、を含む、ことを特徴とする。
【０００９】
これによれば、第２の通信装置は、受信電力の変動傾向に応じた送信電力制御を行うことができる。このため、この変動傾向自体が急激に変化しない限り、受信電力の変動に対応して送信電力制御を行うことが可能になる。
【００１０】
また、上記通信システムにおいて、前記送信電力決定手段は、前記取得した受信電力情報にさらに基づいて、通信信号を送信する際の送信電力を決定する、こととしてもよいし、上記通信システムにおいて、前記第１の通信装置は、通信信号を受信するために必要な受信電力に関する所要受信電力情報を送信する所要受信電力情報送信手段、をさらに含み、前記第２の通信装置は、前記送信された所要受信電力情報を受信する所要受信電力情報受信手段、をさらに含み、前記送信電力決定手段は、前記受信した所要受信電力情報にさらに基づいて、通信信号を送信する際の送信電力を決定する、こととしてもよい。
【００１１】
前者の構成によれば、第２の通信装置は、開ループ送信電力制御により決定される送信電力を、受信電力変動指標に基づいてさらに修正するようにすることができる。
【００１２】
また、第１の通信装置が受信した信号を正常に復調するために必要とする所要受信電力は、受信ダイバシティやアダプティブアレイなどの受信方式によって異なる。後者の構成によれば、受信側通信装置からその所要受信電力を受信しているので、第２の通信装置は、第１の通信装置の所要受信電力に応じた送信電力制御を行うことが可能となる。
【００１３】
さらに、この通信システムにおいて、前記所要受信電力情報ごとに、前記受信電力変動指標に対応付けて、送信電力補正値を記憶する記憶手段、をさらに含み、前記送信電力決定手段は、前記受信した所要受信電力情報について、前記算出した受信電力変動指標に対応付けて記憶される送信電力補正値に基づく補正をした上で、通信信号を送信する際の送信電力を決定する、こととしてもよい。
【００１４】
これによれば、所要受信電力情報ごとに、受信電力変動指標に対応付けて送信電力補正値を記憶しているので、第２の通信装置は、算出した受信電力変動指標及び受信した所要受信電力情報に適した送信電力補正値を取得することができる。そして、この送信電力補正値に基づいて送信電力を補正することにより、送信電力を適切に決定することができる。
【００１５】
また、本発明に係る通信装置は、受信側通信装置から送信される通信信号を受信する通信信号受信手段と、前記受信される通信信号の受信電力を示す受信電力情報を取得する受信電力取得手段と、前記取得される受信電力情報により示される受信電力の変動傾向を示す受信電力変動指標を算出する受信電力変動指標算出手段と、前記算出した受信電力変動指標に基づいて、通信信号を送信する際の送信電力を決定する送信電力決定手段と、前記受信側通信装置に対して、前記決定した送信電力にて通信信号を送信する通信信号送信手段と、を含むことを特徴とする。
【００１６】
これによれば、受信電力の変動傾向に応じた送信電力制御を行うことができる。このため、この変動傾向自体が急激に変化しない限り、受信電力の変動に対応して送信電力制御を行うことが可能になる。
【００１７】
また、本発明に係る送信電力制御方法は、受信側通信装置から送信される通信信号を受信する通信信号受信ステップと、前記受信される通信信号の受信電力を示す受信電力情報を取得する受信電力取得ステップと、前記取得される受信電力情報により示される受信電力の変動傾向を示す受信電力変動指標を算出する受信電力変動指標算出ステップと、前記算出した受信電力変動指標に基づいて、通信信号を送信する際の送信電力を決定する送信電力決定ステップと、前記受信側通信装置に対して、前記決定した送信電力にて通信信号を送信する通信信号送信ステップと、を含むことを特徴とする。
【００１８】
また、本発明に係るプログラムは、受信側通信装置から送信される通信信号を受信する通信信号受信手段、前記受信される通信信号の受信電力を示す受信電力情報を取得する受信電力取得手段、前記取得される受信電力情報により示される受信電力の変動傾向を示す受信電力変動指標を算出する受信電力変動指標算出手段、前記算出した受信電力変動指標に基づいて、通信信号を送信する際の送信電力を決定する送信電力決定手段、及び前記受信側通信装置に対して、前記決定した送信電力にて通信信号を送信する通信信号送信手段、としてコンピュータを機能させることを特徴とする。
【発明を実施するための最良の形態】
【００１９】
［実施形態１］
本発明の第１の実施形態について、図面を参照しながら説明する。
【００２０】
図１は、本実施の形態に係る移動体通信システム１０の構成図である。同図に示すように、本実施の形態に係る移動体通信システム１０は基地局装置２０と移動局装置３０と通信ネットワーク４０とを含んで構成されている。この基地局装置２０は、複数の移動局装置３０と同時に通信し、移動局装置３０と通信ネットワーク４０の間で行われる通信を中継する。
【００２１】
基地局装置２０は、図２に示すように、制御部２１と、記憶部２２と、無線通信部２３と、ネットワークインターフェイス部２４と、を含んで構成されている。
【００２２】
制御部２１は、基地局装置２０の各部を制御し、通話、データ通信などの通信に関わる処理を実行している。また、制御部２１は、ネットワークインターフェイス部２４から入力される通信データを変調し、無線通信部２３にベースバンドの通信信号として出力するとともに、無線通信部２３が該通信信号を無線区間に送出する際の送信電力を決定している。さらに、制御部２１は、無線通信部２３から入力される通信信号の復調及び復号を行い、通信データとしてネットワークインターフェイス部２４に出力する。
【００２３】
記憶部２２は、制御部２１のワークメモリとして動作する。また、この記憶部２２は、制御部２１によって行われる各種処理に関わるプログラムやパラメータを保持している。さらに、記憶部２２は、無線通信部２３の受信方式（後述）を示す受信方式情報及び送信電力補正値記憶テーブルＡ（後述）を対応付けて記憶している。
【００２４】
無線通信部２３は、１又は複数の空中線を備え、空中線の数に応じた所定の受信方式（後述）により移動局装置３０から送信される通信データを受信し、周波数変換して制御部２１に出力する処理や、制御部２１から入力される指示に従って、制御部２１から入力される通信データを周波数変換して空中線を介して出力する処理を行う。なお、この送信の際には、無線通信部２３は制御部２１から指示された送信電力にて通信信号を送信する。
【００２５】
ネットワークインターフェイス部２４は、通信ネットワーク４０と接続されており、該通信ネットワーク４０から送信される通信データを受信して制御部２１に出力する処理や、制御部２１の指示に従って、通信データを通信ネットワーク４０に対して送信する処理を行う。
【００２６】
移動局装置３０は、図３に示すように、制御部３１と、記憶部３２と、無線通信部３３と、を含んで構成されている。
【００２７】
制御部３１は、移動局装置３０の各部を制御し、通話、データ通信などの通信に関わる処理を実行している。また、制御部３１は、通信データを変調し、無線通信部３３にベースバンドの通信信号として出力するとともに、無線通信部３３が該通信データを無線区間に送出する際の送信電力を決定している。さらに、制御部３１は、無線通信部３３から入力される通信データの復調及び復号を行い、通信データを取得する。
【００２８】
記憶部３２は、制御部３１のワークメモリとして動作する。また、この記憶部３２は、制御部３１によって行われる各種処理に関わるプログラムやパラメータを保持している。さらに、記憶部３２は、無線通信部３３の受信方式（後述）を示す受信方式情報及び受信送信電力補正値記憶テーブルＡ（後述）を対応付けて記憶している。
【００２９】
無線通信部３３は、１又は複数の空中線を備え、空中線の数に応じた所定の受信方式（後述）により基地局装置２０から送信される通信データを受信し、周波数変換して制御部３１に出力する処理や、制御部３１から入力される指示に従って、制御部３１から入力される通信データを周波数変換して空中線を介して出力する処理を行う。なお、この送信の際には、無線通信部３３は制御部３１から指示された送信電力にて通信データを送信する。
【００３０】
ところで、無線通信部２３や無線通信部３３には、種々の受信方式を採用しうる。例えば、ダイバーシティ無、ダイバーシティ有、アダプティブアレイなどがその例である。これらは、通信データを受信する際の受信感度が互いに異なっており、受信感度がよいほど、低い受信電力で受信された通信データでも制御部２１又は制御部３１による復調・復号ができる可能性が高くなる。例えば、ダイバーシティをする場合、２本のアンテナで受信された通信データから、受信状態のよいものを選択するので、結果的に受信感度がよくなる。また、アダプティブアレイでは、通信データを送信した通信装置に向けて電気的な指向性を作ることができるので、受信感度がさらによくなるのである。
【００３１】
各受信方式には、制御部２１又は制御部３１による復調・復号が可能となる平均受信電力の閾値（所要平均受信電力）がある。この所要平均受信電力は、通信装置が通信信号を受信するために必要な受信電力に関するデータである。
【００３２】
図４は、受信方式と所要平均受信電力の対応を示す図である。同図に示すように、ダイバーシティ受信をしない場合に最も所要平均受信電力が高く、次いでダイバーシティ受信をする場合の所要平均受信電力が高い（ダイバーシティ無の場合に比べＡ［ｄＢ］下がっている）。４アンテナでアダプティブアレイ受信を行う場合は、さらに所要平均受信電力が下がり（ダイバーシティ無の場合に比べＢ［ｄＢ］(Ａ＜Ｂ)下がっている）、８アンテナでアダプティブアレイ受信を行う場合に最も所要平均受信電力が低くなる（ダイバーシティ無の場合に比べＣ［ｄＢ］(Ｂ＜Ｃ)下がっている）。
【００３３】
基地局装置２０及び移動局装置３０は、このような受信方式と所要平均受信電力の関係を利用し、送信電力制御を行っている。以下、移動局装置３０において、基地局装置２０の受信方式に応じた送信電力制御を行う場合の処理について説明する。なお、基地局装置２０において行う場合も同様である。
【００３４】
図５は、本実施の形態に係る基地局装置２０ａと移動局装置３０ａの機能ブロック図である。同図に示すように、移動局装置３０ａは、機能的には受信ＲＦ処理部３００、受信ＢＢ処理部３０１、通信データ取得部３０２、受信方式取得部３０３、瞬時受信電力算出部３０４、平均受信電力算出部３０５、送信電力制御部３０７ａ、送信ＢＢ処理部３０８、送信ＲＦ処理部３０９を含んで構成される。また、基地局装置２０ａ−１は１本の空中線を有し、ダイバーシティを行わない基地局装置２０ａであり、機能的に通信データ取得部２００ａ、送信ＢＢ処理部２０１、送信ＲＦ処理部２０２、受信ＲＦ処理部２０３、受信ＢＢ処理部２０４、通信データ取得部２０５を含んで構成される。基地局装置２０ａ−２は２本の空中線を有し、ダイバーシティを行う基地局装置２０ａであり、機能的に通信データ取得部２００ａ、送信ＢＢ処理部２０１、送信ＲＦ処理部２０２、ＤＳ受信ＲＦ処理部２０６、ＤＳ受信ＢＢ処理部２０７、通信データ取得部２０８を含んで構成される。基地局装置２０ａ−３は３本以上の空中線を有し、アダプティブアレイ受信を行う基地局装置２０ａであり、機能的に通信データ取得部２００ａ、送信ＢＢ処理部２０１、送信ＲＦ処理部２０２、ＡＡＡ受信ＲＦ処理部２０９、ＡＡＡ受信ＢＢ処理部２１０、通信データ取得部２１１を含んで構成される。
【００３５】
各基地局装置２０ａの通信データ取得部２００ａは、記憶部２２に記憶される受信方式情報を読み出す。通信データ取得部２００ａは、読み出した受信方式情報を符号化し、他の通信データとともに通信データとして送信ＢＢ処理部２０１に出力する。
【００３６】
送信ＢＢ処理部２０１は、通信データを変調することにより、ベースバンド信号を取得する。送信ＢＢ処理部２０１は、取得したベースバンド信号を送信ＲＦ処理部２０２に出力する。送信ＲＦ処理部２０２は、入力されたベースバンド信号の周波数を無線周波数に変換し、空中線から無線区間に送出する。
【００３７】
受信ＲＦ処理部３００は、送信ＲＦ処理部２０２が無線区間に送出した信号を空中線にて受信し、ベースバンド周波数のベースバンド信号に変換して受信ＢＢ処理部３０１に出力する。受信ＢＢ処理部３０１は、入力されたベースバンド信号を復調して通信信号を取得し、通信データ取得部３０２に出力する。通信データ取得部３０２は、入力された通信信号を復号して通信データを取得する。
【００３８】
受信方式取得部３０３は、通信データ取得部３０２が取得した通信データから、通信中又は通信を開始しようとする基地局装置２０ａの受信方式情報を取得する。受信方式取得部３０３は、取得した受信方式情報を送信電力制御部３０７ａに出力する。
【００３９】
瞬時受信電力算出部３０４は、受信ＢＢ処理部３０１に入力されたベースバンド信号の電力を逐次受信電力値として取得し、平均受信電力算出部３０５に出力する。平均受信電力算出部３０５は、入力された受信電力値の移動平均を取得し、平均受信電力値として送信電力制御部３０７ａに出力する。
【００４０】
送信電力制御部３０７ａは、受信方式情報により示される受信方式に応じて、記憶部３２から送信電力補正値記憶テーブルＡに記憶される送信電力補正値を読み出す。図６は、この送信電力補正値記憶テーブルＡの例である。同図に示すように、送信電力補正値記憶テーブルＡでは、受信方式と送信電力補正値とが対応付けて記憶される。送信電力制御部３０７ａは、受信方式情報により示される受信方式と対応付けて記憶される送信電力補正値を取得する。
【００４１】
送信電力制御部３０７ａは、取得した送信電力補正値に基づいて送信電力を決定する。送信電力制御部３０７ａは通常、以下の式（２）で示される開ループ送信電力制御によって送信電力値Ｐｔｘを決定している。Ｘは記憶部３２に記憶される所定値のパラメータ（開ループ送信電力制御パラメータ）である。また、Ｐｒｘ’は平均受信電力算出部３０５から入力された平均受信電力値（受信電力値Ｐｒｘの移動平均値）である。
Ｐｔｘ＝Ｘ−Ｐｒｘ’  ・・・（２）
【００４２】
送信電力制御部３０７ａは、この開ループ送信電力制御パラメータＸを送信電力補正値に基づいて補正する。具体的には、Ｘから送信電力補正値を減算したものを開ループ送信電力制御パラメータとする。
【００４３】
そして補正された開ループ送信電力制御パラメータを使用して、式（２）により送信電力値Ｐｔｘを決定し、決定した送信電力値の送信電力でベースバンド信号を出力するよう、送信ＢＢ処理部３０８に指示する。
【００４４】
送信ＢＢ処理部３０８は図示しない通信データ取得部において符号化されてなる通信信号を変調し、送信電力制御部３０７ａの指示に従う送信電力で送信ＲＦ処理部３０９に出力する。送信ＲＦ処理部３０９は送信ＢＢ処理部３０８から入力されたベースバンド信号の周波数を無線周波数に変換し、空中線から無線区間に送出する。
【００４５】
各基地局装置２０ａは、それぞれの受信方式により空中線に到来する無線信号を受信する。
【００４６】
基地局装置２０ａ−１では、受信ＲＦ処理部２０３は１本の空中線に到来した無線信号を受信し、周波数変換を行ってベースバンド信号とし、受信ＢＢ処理部２０４に出力する。受信ＢＢ処理部２０４は、ベースバンド信号を復調して通信信号とし、通信データ取得部２０５に出力する。通信データ取得部２０５は通信信号を復号化して通信データとして取得する。
【００４７】
基地局装置２０ａ−２では、ＤＳ受信ＲＦ処理部２０６は２本の空中線に到来した無線信号をそれぞれ受信する。そして、それぞれに対して周波数変換を行ってベースバンド信号とし、ＤＳ受信ＢＢ処理部２０７に出力する。ＤＳ受信ＢＢ処理部２０７は、各ベースバンド信号をそれぞれ復調して通信信号とし、通信データ取得部２０８に出力する。通信データ取得部２０８は各通信信号をそれぞれ復号化して通信データとする。さらに通信データ取得部２０８は、２つの通信データの中から、受信状態のよいものを選択する。なお、ＤＳ受信ＲＦ処理部２０６又はＤＳ受信ＢＢ処理部２０７において各空中線で受信された信号を合成することとしてもよい。
【００４８】
基地局装置２０ａ−３では、ＡＡＡ受信ＲＦ処理部２０９は複数の空中線に到来した無線信号をそれぞれ受信する。そして、それぞれに対して周波数変換を行ってベースバンド信号とし、ＡＡＡ受信ＢＢ処理部２１０に出力する。ＡＡＡ受信ＢＢ処理部２１０は、各ベースバンド信号をそれぞれ復調して通信信号とし、各通信信号を合成して通信データ取得部２１１に出力する。通信データ取得部２１１は通信信号を復号化して通信データとする。
【００４９】
次に、移動局装置３０の処理について、処理フロー図を参照しながらより詳細に説明する。
【００５０】
図７は、移動局装置３０における送信電力制御の基本処理フロー図である。同図に示すように、移動局装置３０は、まず下り（基地局装置２０から移動局装置３０への通信方向）受信信号の瞬時受信電力値（Ｐｒｘ）を算出する（Ｓ１００）。そして、算出した瞬時受信電力値の移動平均である平均受信電力値（Ｐｒｘ’）を算出する（Ｓ１０１）。次に移動局装置３０は、送信電力値Ｐｔｘを式（２）により算出する（Ｓ１０２）。なお、図７にも示されているように、式（２）においてＰｒｘ’に代えてＰｒｘを使用することとしてもよい。移動局装置３０は、算出した送信電力値（Ｐｔｘ）の送信電力で上り（移動局装置３０から基地局装置２０への通信方向）通信信号を送信する（Ｓ１０３）。
【００５１】
図８は、移動局装置３０の開ループ送信電力制御パラメータ補正の処理フロー図である。同図に示すように、移動局装置３０と基地局装置２０の間で、まず受信方式のネゴシエーション（交換）を行う（Ｓ１１１）。具体的には、受信方式情報の送受信により行われる。この処理は基地局装置２０ごとに一度だけ行うこととしてもよく、その場合、移動局装置３０は、基地局装置２０を識別するための識別情報とその基地局装置２０の受信方式とを対応付けて記憶しておくことが好適である。
【００５２】
次に、移動局装置３０は、記憶部３２に記憶している開ループ送信電力制御パラメータの値により、Ｘの値を初期設定する（Ｓ１１２）。そして、通信中又は通信を開始しようとする基地局装置２０の受信方式に対応付けて記憶される送信電力補正値を読み出し、Ｘの値を読み出した送信電力補正値により補正する（Ｓ１１３乃至Ｓ１１７）。移動局装置３０は、このようにして得られるＸの値を開ループ送信電力制御パラメータとして使用する。
【００５３】
以上のようにして、移動体通信システム１０は、受信方式と所要平均受信電力の関係を利用した送信電力制御を行っている。すなわち、基地局装置２０及び移動局装置３０のうち、一方の通信装置は、他方の通信装置からその所要受信電力を受信しているので、他方の通信装置の所要受信電力に応じた一方の通信装置の送信電力制御が可能となる。また、他方の通信装置の受信方式（例えば、受信ダイバーシティやアダプティブアレイなど）に基づいて、一方の通信装置が通信信号を送信する際の送信電力を決定することができるようになる。さらに、一方の通信装置は、開ループ送信電力制御により決定される送信電力を、他方の通信装置の所要受信電力情報に基づいてさらに修正するようにすることができる。
【００５４】
［実施形態２］
本発明の第２の実施形態について、図面を参照しながら説明する。
【００５５】
第２の実施形態において、図１乃至図３については実施形態１と共通である。第２の実施形態も移動体通信システム１０により実現される。第２の実施形態では、基地局装置２０又は移動局装置３０は、それぞれ受信電力の変動に応じた送信電力制御を行う。
【００５６】
図９は、第１の通信装置（例えば移動局装置３０）の受信電力の変動傾向を示す情報である受信電力変動指標と、第１の通信装置から送信された通信信号を受信する第２の通信装置（例えば基地局装置２０）の上記所要平均受信電力の関係を示す図である。同図に示すように、受信方式が同じであれば、受信電力変動指標が大きくなるほど、すなわち受信電力が大きく変動しているほど、所要平均受信電力は大きくなる。
【００５７】
基地局装置２０及び移動局装置３０は、このような受信電力変動指標と所要平均受信電力の関係を利用し、送信電力制御を行っている。以下、移動局装置３０において、受信電力変動指標に基づく送信電力制御を行う場合の処理について説明する。なお、基地局装置２０において行う場合も同様である。
【００５８】
図１０は、本実施の形態に係る基地局装置２０ｂと移動局装置３０ｂの機能ブロック図である。なお、同図では基地局装置２０ｂとしてダイバーシティ無の１台のみを記載している。
【００５９】
図１０に示すように、各基地局装置２０ｂは、各基地局装置２０ａと比較すると、通信データ取得部２００ａに代えて通信データ取得部２００ｂを備える点が異なっている。移動局装置３０ｂは、移動局装置３０ａと比較すると、通信データ取得部３０２及び受信方式取得部３０３を備えず、受信電力変動指標算出部３０６を備える点が異なっている。また、移動局装置３０ｂは、送信電力制御部３０７ａに代えて送信電力制御部３０７ｂを備えている。さらに、後述するように、記憶部３２では、送信電力補正値記憶テーブルＡに代えて送信電力補正値記憶テーブルＢを記憶している。以下、実施形態１との相違点について説明する。
【００６０】
基地局装置２０ｂは、従来通りの通信データの送信処理を行っている。一方、移動局装置３０ｂは、平均受信電力算出部３０５は算出した平均受信電力値を受信電力変動指標算出部３０６に出力する。
【００６１】
受信電力変動指標算出部３０６は、平均受信電力値に基づいて受信電力変動指標を算出して、送信電力制御部３０７ｂに出力する。すなわち、受信電力変動指標算出部３０６は、平均受信電力値を所定回数分のセットとして一時記憶する。そしてその変動量を所定閾値と比較することにより、一時記憶している平均受信電力値セットを４段階に分類する。そして平均受信電力値セットの属する段階を受信電力変動指標とする。具体的には、平均受信電力値セットの属する段階が最も変動量の少ない段階であるとき受信電力変動指標を０とし、次に少ない段階であるとき受信電力変動指標をαとし、次に少ない段階であるとき受信電力変動指標をβとし、最も多い段階であるとき受信電力変動指標をγとする。
【００６２】
送信電力制御部３０７ｂは、入力された受信電力変動指標に応じて、記憶部３２から送信電力補正値記憶テーブルＢに記憶される送信電力補正値を読み出す。図１１は、この送信電力補正値記憶テーブルＢの例である。同図に示すように、送信電力補正値記憶テーブルＢでは、受信電力変動指標と送信電力補正値とが対応付けて記憶される。送信電力制御部３０７ｂは、受信電力変動指標と対応付けて記憶される送信電力補正値を取得する。
【００６３】
送信電力制御部３０７ｂは、取得した送信電力補正値に基づいて送信電力を決定する。具体的には、式（２）を式（３）のように変形して使用する。Ｙは、送信電力制御部３０７ｂが取得した送信電力補正値である。
Ｐｔｘ＝Ｘ＋Ｙ−Ｐｒｘ’  ・・・（３）
【００６４】
このＹはリアルタイムに変化するものであるので、実施形態１のように予め開ループ送信電力制御パラメータＸを補正するのではなく、開ループ送信電力制御における式（３）に直接Ｙを加算して計算するようにしている。送信電力制御部３０７ｂは、このようにして送信電力値Ｐｔｘを決定し、決定した送信電力値の送信電力でベースバンド信号を出力するよう、送信ＢＢ処理部３０８に指示する。
【００６５】
以上のようにして、移動体通信システム１０は、受信電力の変動傾向に応じた送信電力制御を行っている。このため、この変動傾向自体が急激に変化しない限り、受信電力の変動に対応して送信電力制御を行うことが可能になる。また、通信装置は、開ループ送信電力制御により決定される送信電力を、受信電力変動指標に基づいてさらに修正するようにすることができる。
【００６６】
［実施形態３］
本発明の第３の実施形態について、図面を参照しながら説明する。
【００６７】
第３の実施形態において、図１乃至図３については実施形態１と共通である。第３の実施形態も移動体通信システム１０により実現される。
【００６８】
図９に示すように、第１の通信装置から送信された通信信号を受信する第２の通信装置の受信方式に応じて、第１の通信装置の受信電力変動指標と、第２の通信装置の所要平均受信電力の関係は異なっている。基地局装置２０及び移動局装置３０は、このような受信方式、受信電力変動指標、及び所要平均受信電力の関係を利用し、送信電力制御を行っている。以下、移動局装置３０において、受信方式及び受信電力変動指標に基づく送信電力制御を行う場合の処理について説明する。なお、基地局装置２０において行う場合も同様である。
【００６９】
図１２は、本実施の形態に係る基地局装置２０ｂと移動局装置３０ｂの機能ブロック図である。なお、同図では基地局装置２０ｂとしてダイバーシティ無の１台のみを記載している。
【００７０】
図１２に示すように、各基地局装置２０ａは実施形態１におけるものと同様である。移動局装置３０ｃは、移動局装置３０ａと比較すると、受信電力変動指標算出部３０６を備える点が異なっている。この受信電力変動指標算出部３０６は、移動局装置３０ｂに備えられるものと同様である。また、移動局装置３０ｃは、送信電力制御部３０７ａに代えて送信電力制御部３０７ｃを備えている。さらに、後述するように、記憶部３２では、送信電力補正値記憶テーブルＡ又は送信電力補正値記憶テーブルＢに代えて送信電力補正値記憶テーブルＣを記憶している。
【００７１】
送信電力制御部３０７ｃは、受信方式取得部３０３から入力される受信方式情報、平均受信電力算出部３０５から入力される平均受信電力値、及び受信電力変動指標算出部３０６から入力される受信電力変動指標に基づいて、送信電力制御を行う。
【００７２】
具体的には、送信電力制御部３０７ｃは、入力された受信方式情報が示す受信方式及び受信電力変動指標に応じて、記憶部３２から送信電力補正値記憶テーブルＣに記憶される送信電力補正値を読み出す。図１３は、この送信電力補正値記憶テーブルＣの例である。同図に示すように、送信電力補正値記憶テーブルＣでは、受信方式及び受信電力変動指標と送信電力補正値とが対応付けて記憶される。送信電力制御部３０７ｃは、受信方式情報及び受信電力変動指標と対応付けて記憶される送信電力補正値を取得する。
【００７３】
送信電力制御部３０７ｃは、取得した送信電力補正値に基づいて送信電力を決定する。具体的には、受信方式情報が入力された場合に、送信電力制御部３０７ｃは、実施形態１と同様な処理により開ループ送信電力制御パラメータＸを補正しておく。また、受信電力変動指標が入力される都度、実施形態２と同様な処理により送信電力値Ｐｔｘを決定する。
【００７４】
送信電力制御部３０７ｃは、このようにして送信電力値Ｐｔｘを決定し、決定した送信電力値の送信電力でベースバンド信号を出力するよう、送信ＢＢ処理部３０８に指示する。
【００７５】
次に、移動局装置３０の処理について、処理フロー図を参照しながらより詳細に説明する。
【００７６】
図１４は、移動局装置３０における送信電力制御の基本処理フロー図である。同図に示すように、移動局装置３０は、まず図７及び図８で示したＳ１１１，Ｓ１１２，Ｓ１００，Ｓ１０１の処理を行う。そして、Ｓ１０１において算出された平均受信電力値（Ｐｒｘ’）に基づき、受信電力変動指標を算出する（Ｓ１５０）。
【００７７】
次に、移動局装置３０は、通信中又は通信を開始しようとする基地局装置２０の受信方式に関し算出した受信電力変動指標に対応付けて記憶される送信電力補正値を読み出し、送信電力補正値Ｙの値を決定する（Ｓ１１３，Ｓ１５１，Ｓ１５２）。そして移動局装置３０は、送信電力値Ｐｔｘを式（３）により算出する（Ｓ１５３）。移動局装置３０は、算出した送信電力値（Ｐｔｘ）の送信電力で上り通信信号を送信する。また、移動局装置３０は、Ｓ１５３の処理終了後Ｓ１００の処理に戻り、通信を行っている間上記処理を繰り返す。このようにすることにより、移動局装置３０は、受信電力の変動傾向に応じた送信信号制御を行う。
【００７８】
以上のようにして、移動体通信システム１０に含まれる通信装置は、通信相手の受信方式及び自身の受信電力の変動傾向に応じた送信電力制御を行っている。これによれば、受信方式ごとに、受信電力変動指標に対応付けて送信電力補正値を記憶しているので、通信装置は、算出した受信電力変動指標及び受信した受信方式に適した送信電力補正値を取得することができる。そして、この送信電力補正値に基づいて送信電力を補正することにより、送信電力を適切に決定することができる。
【図面の簡単な説明】
【００７９】
【図１】本発明の実施の形態１乃至３に係る移動体通信システムの構成図である。
【図２】本発明の実施の形態１乃至３に係る基地局装置のシステム構成図である。
【図３】本発明の実施の形態１乃至３に係る移動局装置のシステム構成図である。
【図４】本発明の実施の形態１及び３に係る通信装置における受信方式と所要平均受信電力の関係を示す図である。
【図５】本発明の実施の形態１に係る基地局装置及び移動局装置の機能ブロック図である。
【図６】本発明の実施の形態１に係る送信電力補正値記憶テーブルＡを示す図である。
【図７】本発明の実施の形態１に係る移動局装置の処理フロー図である。
【図８】本発明の実施の形態１に係る移動局装置の処理フロー図である。
【図９】本発明の実施の形態２及び３に係る通信装置における受信方式、受信電力変動指標、及び所要平均受信電力の関係を示す図である。
【図１０】本発明の実施の形態２に係る基地局装置及び移動局装置の機能ブロック図である。
【図１１】本発明の実施の形態２に係る送信電力補正値記憶テーブルＢを示す図である。
【図１２】本発明の実施の形態３に係る基地局装置及び移動局装置の機能ブロック図である。
【図１３】本発明の実施の形態３に係る送信電力補正値記憶テーブルＣを示す図である。
【図１４】本発明の実施の形態３に係る移動局装置の処理フロー図である。
【符号の説明】
【００８０】
１０  移動体通信システム、２０  基地局装置、２１  制御部、２２  記憶部、２３  無線通信部、２４  ネットワークインターフェイス部、３０  移動局装置、３１  制御部、３２  記憶部、３３  無線通信部、４０  通信ネットワーク、２００，２０５，２０８，２１１，３０２  通信データ取得部、２０１，３０８  送信ＢＢ処理部、２０２，３０９  送信ＲＦ処理部、２０３，３００  受信ＲＦ処理部、２０４，３０１  受信ＢＢ処理部、２０６  ＤＳ受信ＲＦ処理部、２０７  ＤＳ受信ＢＢ処理部、２０９  ＡＡＡ受信ＲＦ処理部、２１０  ＡＡＡ受信ＢＢ処理部、３０３  受信方式取得部、３０４  瞬時受信電力算出部、３０５  平均受信電力算出部、３０６  受信電力変動指標算出部、３０７  送信電力制御部。
【図１】
0004704818.tif 000002
【図２】
0004704818.tif 000003
【図３】
0004704818.tif 000004
【図４】
0004704818.tif 000005
【図５】
0004704818.tif 000006
【図６】
0004704818.tif 000007
【図７】
0004704818.tif 000008
【図８】
0004704818.tif 000009
【図９】
0004704818.tif 000010
【図１０】
0004704818.tif 000011
【図１１】
0004704818.tif 000012
【図１２】
0004704818.tif 000013
【図１３】
0004704818.tif 000014
【図１４】
0004704818.tif 000015